(57)【要約】【課題】昇降可能な作業台を軽い操作力で昇降操作でき、かつ、作業台の昇降時の安定性を兼ね備え、さらに、コンパクトな昇降式作業台を提供する。【解決手段】固定フレーム１と、この固定フレーム１に昇降可能に支持された洗面台２とを備え、バネ力で巻き取り付勢された吊ワイヤ２６を備えたバランサ２４が、固定フレーム１に取り付けられており、吊ワイヤ２６が、巻き取られることによって洗面台２が上昇するように洗面台２に連結されている。したがって、洗面台２を軽い操作力で昇降操作かつ洗面台２の昇降時の安定性がよい。バランサ４は、取付けスペースが狭くて済むので、昇降洗面台をコンパクトにできる。【選択図】図１
2007117542.tif 000002
【特許請求の範囲】
【請求項１】
固定フレームと、この固定フレームに昇降可能に支持された洗面台または流し台等の作業台とを備えた昇降式作業台であって、
バネ力で巻き取り付勢された吊索材を備えたバランサが、前記固定フレームに取り付けられており、このバランサの吊索材が、巻き取られることによって前記作業台が上昇するように前記作業台に連結されていることを特徴とする昇降式作業台。
【請求項２】
前記バランサは、ケーシングと、このケーシング内に設けられた軸部と、この軸部に正逆方向に回転自在に取り付けられて前記吊索材が巻き付けられ、かつ、前記吊索材の巻き取り方向にバネ力で付勢された回転ドラムとを備えており、
前記回転ドラムは転がり軸受を介して前記軸部に取り付けられており、
前記回転ドラムの端面と、前記ケーシングとの間にはクリアランスが設けられていることを特徴とする請求項１に記載の昇降式作業台。
【請求項３】
前記バランサの吊索材は、動滑車に巻き掛けられており、この動滑車が前記作業台に取り付けられていることを特徴とする請求項１または請求項２に記載の昇降式作業台。
【発明の詳細な説明】
【技術分野】
【０００１】
本発明は、昇降式の洗面台または流し台等の作業台を備えた昇降式作業台に関する。
【背景技術】
【０００２】
近年、ユニバーサルデザインを取り入れた商品が普及されていく中、子供、身長差、車椅子使用者に関係なく使用できる昇降式の洗面台や流し台を備えた昇降式作業台の開発が進んでいる。
例えば、特許文献１には、水槽が設けられたカウンタートップと、このカウンタートップの下部に連続一体に設けられる可動体と、家屋側に固定状態に立設され前記可動体が上下方向にスライド可能に取り付けられる固定体と、前記カウンタートップを弾力的に支持する弾力支持体と、前記カウンタートップを所定高さに位置決めする位置決め体とを有する構成とした昇降式カウンタートップ装置が記載されている。そして、前記弾力支持体としてガススプリングを使用している。
【０００３】
また、特許文献２には、２本の支柱を立て、この支柱で上下にスライドする昇降ガイドに洗面台を取り付け、支柱に設けたバランス用バネで洗面台の重さとバランスさせ、洗面台を上下させるには昇降ガイドに連結した操作レバーで上下に移動し、位置決め用溝に固定するものが記載されている。
【０００４】
【特許文献１】特開平１０−１５５５７４号公報
【特許文献２】実開平０６−０３１５９０号公報
【発明の開示】
【発明が解決しようとする課題】
【０００５】
ところが、前者の場合、弾力支持体にガススプリングを使用しているので、可動体を昇降させる際に、上昇、下降のどちらかの操作が重くなり、また、バランスがとれたとしてもガススプリング内部の抵抗力が強く昇降操作力が重くなる傾向にある。
また、後者の場合、巻きバネ(圧縮、引張り)を利用し、操作負荷を軽減する機構としているが、昇降ストロークとバネ定数の関係により、上昇下降時の操作力が変動するため、操作力が安定しない傾向にある。
さらに、カウンターウェイトを使用した場合、操作力の軽さと安定性はあるが、機構部が大きくなり、全体の重量も増加し、施工性が悪くなる傾向にある。
【０００６】
本発明は、上記事情に鑑みてなされたもので、昇降可能な作業台を軽い操作力で昇降操作でき、かつ、作業台の昇降時の安定性を兼ね備え、さらに、コンパクトな昇降式作業台を提供することを目的とする。
【課題を解決するための手段】
【０００７】
上記目的を達成するために、本発明の請求項１に記載の昇降式作業台は、固定フレームと、この固定フレームに昇降可能に支持された洗面台または流し台等の作業台とを備えた昇降式作業台であって、
バネ力で巻き取り付勢された吊索材を備えたバランサが、前記固定フレームに取り付けられており、このバランサの吊索材が、巻き取られることによって前記作業台が上昇するように前記作業台に連結されていることを特徴とする。
【０００８】
ここで、前記バランサは、前記作業台を僅かな力で簡単に昇降させるようにするととも
に、任意の位置で作業台を停止可能とするために、作業台の重量と力学的平衡関係を保つようにバネ力が調整されたものである。
また、バランサは作業台の重さによって、取付け個数を適宜設定し、また、作業台の大きさや形状によって取付け位置を適宜設定する。
【０００９】
請求項２に記載の昇降式作業台は、請求項１に記載の発明において、
前記バランサは、ケーシングと、このケーシング内に設けられた軸部と、この軸部に正逆方向に回転自在に取り付けられて前記吊索材が巻き付けられ、かつ、前記吊索材の巻き取り方向にバネ力で付勢された回転ドラムとを備えており、
前記回転ドラムは転がり軸受を介して前記軸部に取り付けられており、
前記回転ドラムの端面と、前記ケーシングとの間にはクリアランスが設けられていることを特徴とする。
【００１０】
ここで、前記クリアランスは、回転ドラムの両端面のうちの少なくとも一方の端面とケーシングとの間に設ければよい。
【００１１】
請求項３に記載の昇降式作業台は、請求項１または請求項２に記載の発明において、前記バランサの吊索材は、動滑車に巻き掛けられており、この動滑車が前記作業台に取り付けられていることを特徴とする。
【発明の効果】
【００１２】
請求項１に記載の昇降式作業台によれば、バランサが固定フレームに取り付けられており、このバランサの吊索材が作業台に連結されているので、作業台を軽い操作力で昇降操作できる。すなわち、バランサは作業台の重量と力学的平衡関係を保つようにバネ力が調整されたものであるから、作業台を軽い操作力で昇降操作できる。
また、作業台が固定フレームに昇降可能に支持されるとともに、バランサの吊索材が作業台に連結されているので、作業台の昇降時の安定性がよい。
さらに、バランサは、カウンターウェイトに比して、非常に小さく取付けスペースが狭くて済むので、昇降式作業台をコンパクトにできる。
【００１３】
従来の上げ下げ窓に使用されているバランサでは、回転ドラムがカラー等の滑り軸受を介して軸部に取り付けられており、また、上げ下げ窓を任意の位置で止めるべくある程度の抵抗を持たせたいので、回転ドラムの端面とケーシングとは接触している。
これに対して、請求項２に記載の昇降式作業台によれば、回転ドラムが転がり軸受を介して軸部に取り付けられているので、従来の回転ドラムに比して回転摩擦を軽減でき、また、回転ドラムの端面とケーシングとの間にはクリアランスが設けられているので、従来の回転ドラムに比して摩擦接触を軽減できる。したがって、回転ドラムが回転する際に該回転ドラムに作用する摩擦力を軽減できるので、作業台の昇降時の操作力を格段に軽くできる。
【００１４】
請求項３に記載の昇降式作業台によれば、バランサの吊索材が巻き掛けられた動滑車が作業台に取り付けられているので、作業台からバランサに作用する力を半減できる。したがって、バランサの取付け個数を減じることができるので、バランサの取付けスペースを狭くできるとともに、コストを軽減できる。
【発明を実施するための最良の形態】
【００１５】
以下、図面を参照して本発明の実施の形態について説明する。
図１〜図５に示すように、本実施の形態では、本発明に係る昇降式作業台を昇降式洗面台に適用している。
まず、昇降式洗面台は、固定フレーム１とこの固定フレーム１に昇降可能に支持された洗面台（作業台）２とを備えている。
【００１６】
固定フレーム１は左右の側板３，３と、この側板３，３を連結する複数の横フレーム４〜８とから構成されている。横フレーム５，７は側板３，３の前部において、中間部どうしおよび下端部どうしをそれぞれ連結している。また、横フレーム４，６，８は側板３，３の後部において、上端部どうし、中間部どうしおよび下端部どうしをそれぞれ連結している。
また、固定フレーム１の下端部には、可動脚９，９がその基端部を支点として上下に回動可能に、つまり起倒可能に取り付けられている。この可動脚９，９は、昇降式洗面台を壁に当接させて床に設置する際に、固定フレーム１の前側に回動して倒されて、床に当接することによって、昇降式洗面台が前方に倒れないように支持し、また設置後は起こして固定フレーム１側に収納するものである。
【００１７】
また、側板３には、その上端部と中間部とにそれぞれガイドローラ１０，１１が取り付けられている。また、ガイドローラ１０，１１は、側板３の前部と後部とにそれぞれ取り付けられている。つまり、ガイドローラ１０，１１は一枚の側板３にそれぞれ２個ずつ取り付けられている。
また、側板３の上端部には、ガイドローラ１２，１２が取り付けられている。ガイドローラ１２はその軸を、ガイドローラ１０の軸と直交させて取り付けられたものである。
上記ガイドローラ１０，１１，１２は洗面台２の昇降をガイドするものであり、洗面台２の後述する縦フレーム７に回転自在に当接されている。
【００１８】
洗面台２は、洗面ボール１５を保持する台１６と、この台１６の左右を下方から支持する一対の縦フレーム１７，１７とを備えている。台１６は、左右に間隔をおいて配置され、前後に平行に延びる一対の前後フレーム１６ａ、１６ａと、これらの前後フレーム１６ａ、１６ａの後端部どうしを連結する後部フレーム１６ｂとを備えたフレーム構造となっている。また、台１６の背面には取付板１９が上方に突出するようにして固定されており、この取付板１９には化粧鏡２０が取り付けられている。また、台１６の上面には、洗面ボール１５の後側において、蛇口となるシャワーヘッド２１と、シャワーヘッド２１からの水または湯の吐出を開閉するレバー２２とが取り付けられている。なお、レバー２２は上下させることによって水または湯の吐出を開閉するとともに吐出量を調整し、左右に回転させることによって、水または湯の温度を調整するようになっている。
【００１９】
前記縦フレーム１７，１７はその上端部が、台１６の左右両側にそれぞれ固定されており、下端部は固定フレーム１の内側に挿入されている。縦フレーム１７，１７の下端部どうしは横フレーム１８によって連結されている。
また、縦フレーム１７，１７は固定フレームの側板３，３の内側に配置され、かつ該側板３，３に近接している。そして、縦フレーム１７，１７には、側板３，３にそれぞれ取り付けられているガイドローラ１０，１１とガイドローラ１２とが、それぞれ縦フレーム１７，１７の側面と、前面および後面にそれぞれ転動可能に当接されている。
また、縦フレーム１７の下端部には、ガイドローラ２３，２３が取り付けられており、該ガイドローラ２３，２３は固定フレーム１の側板３に転動可能に当接されている。
したがって、縦フレーム１７，１７は、前記ガイドローラ１０，１１，１２，２３を介して固定フレーム１の側板３，３に昇降可能に支持されており、これによって、洗面台２は固定フレーム１に昇降可能に支持されている。
【００２０】
また、固定フレーム１には、合計４つのバランサ２４が取り付けられている。すなわち、側板３，３の上端部の内側には、取付フレーム２５，２５が固定されており、この取付フレーム２５，２５にそれぞれ２つのバランサ２４，２４が取り付けられている。前側のバランサ２４は後側のバランサ２４より若干上方に位置している。
バランサ２４は、洗面台２を僅かな力で簡単に昇降させるようにするとともに、洗面台２の重量と力学的平衡関係を保つようにバネ力が調整されたものであり、バネ力で巻き取り付勢された吊ワイヤ（吊索材）２６を備えている。
【００２１】
バランサ２４は以下のように構成されている。
すなわち、図７に示すように、バランサ２４は、ケーシング２７と、このケーシング２７内に設けられた軸部２８と、この軸部２８に正逆方向に回転自在に取り付けられて前記吊ワイヤ２６が巻き付けられ、かつ、吊ワイヤ２６の巻き取り方向にバネ力で付勢された回転ドラム２９とを備えている。
ケーシング２７は、ケーシング本体２７ａと、このケーシング本体２７ａの背面側開口を塞ぐプレート２７ｂとを備えており、該プレート２７ｂはねじ２７ｃ・・・によってケーシング本体２７ａに固定されている。
【００２２】
軸部２８は、ケーシング本体２７ａの平板部とプレート２７ｂとの間に架け渡すようにして設けられており、その一端部はケーシング本体２７ａの平板部に形成された孔に挿通されて突出しており、該平板部によって支持されている。また、軸部２８の他端部はプレート２７ｂに形成された孔に挿通されて突出しており、該プレート２７ｂによって支持されている。
回転ドラム２９は、吊ワイヤ２６が巻き付けられる巻取ドラム３０と、この巻取ドラム３０にバネ力を付与する付勢ドラム３１とを備えている。
巻取ドラム３０には、巻き始めから巻き終わりまで吊ワイヤー２６に一定の張力が作用するように漸次縮径した螺旋状の巻取り溝（図示略）が形成されている。すなわち、巻取ドラムに円錐状の周面３０ａが形成されており、この周面３０ａに巻取り溝が螺旋状に形成されている。
また、巻取ドラム３０の中心部には、軸穴３０ｂとこの軸穴３０ｂａより小径の軸穴３０ｃが同軸に形成されており、軸穴３０ｂにはニードルベアリング（転がり軸受）３２が装着されている。また、軸穴３０ｃにはスペーサ３３が嵌め込まれている。ニードルベアリング３２は、前記軸部２８に装着されており、これによって、巻取ドラム３０はニードルベアリング３２を介して軸部２８に取り付けられている。
【００２３】
前記付勢ドラム３１は、バネケース３１ａ，３１ｂとこのバネケース３１ａ，３１ｂに収納されたゼンマイバネ３１ｃとから構成されている。このゼンマイバネ３１ｃの内方端は軸部２８に係止され、外方端はバネケース３１ａ，３１ｂの内壁に係止されている。
このような構成の付勢ドラム３１の端面（バネケース３１ａの端面）は、巻取ドラム３０の端面に固定されている。したがって、巻取ドラム３０は、付勢ドラム３１のゼンマイバネ３１ｃによって、吊ワイヤ２６の巻き取り方向に付勢されている。
【００２４】
上記のような構成の回転ドラム２９は、該回転ドラム２９に軸部２８が挿通され、さらにこの軸部２８に、回転ドラム２９を挟むようにして薄型ワッシャ３４ａ，３４ｂが外挿されたうえで、ケーシング本体２７ａに背面開口から装入され、このケーシング本体２７ａにプレート２７ｂを固定することによって、ケーシング２７に納められている。
この状態において、回転ドラム２９の端面２９ａと、ケーシング２７のプレート２７ｂとの間にはクリアランスＳが設けられている。つまり、回転ドラム２９は、薄型ワッシャ３４ｂによってプレート２７ｂへの移動が阻止され、さらに、薄型ワッシャ３４ｂはプレート２７ｂとの間に隙間をもっているので、回転ドラム２９の端面とプレート２７ｂとの間にはクリアランスＳが設けられている。これによって、従来の回転ドラムに比して摩擦接触を軽減できるので、回転ドラム２９が回転する際に該回転ドラム２９に作用する摩擦力を軽減できる。
【００２５】
また、ケーシング２７の前面には、爪車３５が設けられており、この爪車３５は前記ケーシング２７から突出している軸部２８に取り付けられている。また、ケーシング２７の前面には、爪３６が揺動可能に軸支されており、この爪３６はバネ３７によって爪車３５に付勢されている。軸部２８の先端面には工具例えばマイナスドライバーが係合する係合溝２８ａが形成されており、軸部２８を巻き取り方向に回すことによりゼンマイバネ３１ｃを巻いて巻取付勢力を増大させることができるようになっている。また爪３５をバネ３７に抗して揺動させることにより軸部２８を間欠的に巻き戻し（ゼンマイバネを緩め）、巻き取り付勢力を減少させることができるようになっている。
したがって、洗面化粧台の設置時に、軸部２８をゼンマイバネ３１ｃの巻き方向に回転し、所定の巻き回数位置にて軸部２８に取り付けられた爪車３５に対して爪３６を噛合させることにより、洗面台２の重量と釣り合う上方向力を導入できるようになっている。
【００２６】
上記のようなバランサ２４の吊ワイヤ２６は動滑車４０に巻き掛けられている。すなわち、前記洗面台２の縦フレーム１７，１７の下端部には、それぞれブラケットを介して２つの動滑車４０，４０が同軸に取り付けられており、該動滑車４０，４０にそれぞれバランサ２４，２４の吊ワイヤ２６，２６が巻き掛けられている。この吊ワイヤ２６，２６の先端部は固定フレーム１の取付フレーム２５に固定されている。このように、バランサ２４の吊ワイヤ２６が巻き掛けられた動滑車４０が固定フレーム１に取り付けられているので、洗面台２からバランサ２４に作用する力を半減できる。
【００２７】
また、本実施の形態の昇降式洗面台は、昇降する洗面台２を上下の所望の位置で固定できる固定装置４１を備えている。
すなわち、まず、図１および図３に示すように、固定フレーム１の左右中央部には、外筒４２が、下端部を横フレーム８に固定されて、ほぼ鉛直に立設されている。また、外筒４２の内部には内筒４３が昇降可能に挿入されており、この内筒４３の上端部は洗面台２の台１６の後部フレーム１６ｂの中央部に設けられた取付フレーム１６ｃに固定されている。したがって、内筒４３は洗面台２とともに昇降するようになっている。
また、内筒４３の下端部には、図９に示すように、弾性部材４４が取り付けられている。弾性部材４４はそれに力を作用していない状態では外筒４２の内周面との間に隙間を隔てている。また、弾性部材４４に軸方向の圧縮力を作用させると、径方向外方に弾性的に拡径して外筒４２の内周面に圧接するようになっている。
【００２８】
弾性部材４４には軸方向に沿って貫通孔４４ａが形成されており、この貫通孔４４ａには軸部材４５が上下動可能に挿通されている。この軸部材４５の下端部にはナット４６が螺合されており、これによって軸部材４５の下端部は弾性部材４４の下端部に固定されている。一方、軸部材４５の上端部は内筒４３内に挿入されており、この軸部部材４５にはワイヤ４７が連結されている。したがって、このワイヤ４７を引き上げることによって、軸部材４５が引き上げられ（上昇し）て、弾性部材４４が径方向外方に弾性的に拡径して外筒４２の内周面に圧接する。また、ワイヤ４７の引き上げ力を解除すると、弾性部材４４が弾性復帰して、外筒４２の内周面から離間するようになっている。
なお、弾性部材４４と外筒４２の内周面の摩擦力が大きくて、ワイヤ４７の引き上げ力の解除だけでは、弾性部材４４が弾性復帰できない場合は、弾性部材４４と内筒４３との間に圧縮バネを介在させて、この圧縮バネの弾性復帰力を利用してもよい。
【００２９】
前記ワイヤ４７は内筒４３の上端から延出しており、軟性のパイプ４８に挿通されている。パイプ４８は、図５に示すように、内筒４３の上端開口近傍から、右側方に延びさらに、洗面台２の内部を通って前方に延び、洗面台２の下方の右側部付近まで延びるようにして設けられている。
洗面台２の下方の右側部には、筒状に形成され、外周にねじが形成された筒状ネジ５０が螺合されており、この筒状ネジ５０の先端部には、ブラケット５１の一端部がナット５２によって固定されており、このブラケット５１の他端部には前記パイプ４８の端部が固定されている。また、筒状ネジ５０の内部には軸部５３が挿入されており、この軸部５３の先端部に、パイプ４８内に挿通されているワイヤ４７が連結されている。また、軸部５３の基端部は筒状ネジ５０から突出している。
【００３０】
一方、洗面台２の右側部から突出している筒状ネジ５０には、ナット５４が螺合して締め付けられることによって、洗面台２の右側部の前面に固定されている。また、筒状ネジ５０から突出している軸部５３の端部には操作レバー５５が軸５５ａを介して回動可能に取り付けられている。また、この操作レバー５５にはコロ５６が軸支されており、このコロ５６は前記ナット５４の端面に当接している。なお、コロ５６、ナット５４等はカバー５７によって覆われている。
【００３１】
そして、上記のような構成の固定装置４１では、操作レバー５５を押し下げることによって、コロ５６がナット５４の端面を転動するとともに、軸部５３が引き込まれ、これによって、軸部５３に連結されているワイヤ４７が引き込まれる。
ワイヤ４７が引き込まれると、軸部材４５が引き上げられ（上昇し）て、弾性部材４４が径方向外方に弾性的に拡径して外筒４２の内周面に圧接することによって、弾性部材４４が摩擦力によって外筒４２の内周面に固定される。これによって、洗面台２が所望の位置で固定される。
一方、操作レバー５５を引き上げることによって、コロ５６がナット５４の端面を転動するとともに、軸部５３が押し出され、これによって、軸部５３に連結されているワイヤ４７が緩む。
ワイヤ４７が緩むと、ワイヤ４７の引き上げ力が解除されるので、弾性部材４４が弾性復帰して、外筒４２の内周面から離間する。これによって、洗面台２の固定が解除され、昇降可能となる。
【００３２】
操作レバー５５はコロ５６によって、てこの力を利用してワイヤ４７を引き込むようになっているので、軽い力で操作することができる。
【００３３】
なお、ワイヤ４７を引き込む機構としては、図１１に示すものを採用してもよい。この機構は以下のように構成されている。すなわち、台１６の下面にはブラケット６１が固定されており、このブラケット６１には軸６２が取り付けられている。この軸６２には、操作レバー６０の中央部が回動可能に取り付けられており、これによって操作レバー６０は上下に揺動可能となっている。
また、台１６の下面には、ブラケット６３が固定されており、このブラケット６３にはリンク６４の中間部が軸６５によって回動可能に取り付けられている。リンク６４の中間部には長穴６４ａが形成されており、この長穴６４ａに軸６５が挿入されている。したがって、リンク６４は軸６５を支点として回動可能であるとともに、長穴６４ａによってリンク６４の長さ方向に移動可能である。
さらに、リンク６４の一端部には、操作レバー６０の基端部が回動可能に連結されており、他端部にはワイヤ４７が連結されている。
【００３４】
したがって、操作レバー６０を引き上げるか押し下げることによって、ワイヤ４７が緩み、洗面台２の固定が解除され、洗面台２が昇降可能となる。
また、操作レバー６０を水平位置にすると、リンク６４を介してワイヤ４７が引き込まれ、これによって、洗面台２が所望の位置で固定される。
【００３５】
以上のような昇降式洗面化粧台では、洗面台２を昇降させる場合には、操作レバー５５を引き上げることによって、ワイヤ４７が緩んで、ワイヤ４７の引き上げ力が解除されるので、弾性部材４４が弾性復帰して、外筒４２の内周面から離間する。これによって、洗面台２の固定が解除され、昇降可能となる。
そして、バランサ２４が固定フレーム１に取り付けられており、このバランサ２４の吊ワイヤ２６が洗面台２に連結されているので、洗面台２を軽い操作力で昇降操作できる。すなわち、バランサ２４は洗面台２の重量と力学的平衡関係を保つようにゼンマイバネ３１ｃバネ力が調整されたものであるから、洗面台２を軽い操作力で昇降操作できる。
【００３６】
また、洗面台２が固定フレーム１にガイドローラ１０，１１，１２，２３によって昇降可能に支持されるとともに、バランサ２４の吊ワイヤ２６が洗面台２に連結されているので、洗面台２の昇降時の安定性がよい。なお、スライドレール等によって洗面台２を固定フレーム１に昇降可能に支持するようにしてもよい。
さらに、バランサ２４は、カウンターウェイトに比して、非常に小さく取付けスペースが狭くて済むので、昇降式洗面台をコンパクトにできる。
また、回転ドラム２９がニードルベアリング３２を介して軸部２８に取り付けられているので、従来の回転ドラムに比して回転摩擦を軽減でき、また、回転ドラム２９の端面２９ａとケーシング２７のプレート２７ｂとの間にはクリアランスＳが設けられているので、従来の回転ドラムに比して摩擦接触を軽減できる。したがって、回転ドラム２９が回転する際に該回転ドラム２９に作用する摩擦力を軽減できるので、洗面台２の昇降時の操作力を格段に軽くできる。
また、バランサ２４の吊ワイヤ２６が巻き掛けられた動滑車４０が洗面台２に取り付けられているので、洗面台２からバランサ２４に作用する力を半減できる。したがって、バランサ２４の取付け個数を減じることができるので、バランサの取付けスペースを狭くできるとともに、コストを軽減できる。
【００３７】
また、洗面台２を昇降させた後、所望の上下方向の位置で固定する場合には、操作レバー５５を押し下げることによって、ワイヤ４７が引き込まれ、軸部材４５が引き上げられ（上昇し）て、弾性部材４４が径方向外方に弾性的に拡径して外筒４２の内周面に圧接することによって、弾性部材４４が摩擦力によって外筒４２の内周面に固定される。これによって、洗面台２が所望の位置で固定される。
このように、操作レバー５５を軽い力で操作することによって、洗面台２を容易に昇降可能にしたり、固定できる。
【００３８】
また、固定装置４１が、バランサ２４、吊ワイヤ２６、動滑車４０等で構成されたバランス機構と別体であるので、バランス機構に支障が生じても、洗面台２は固定され続けるので安全面でも優れたものとなる。
さらに、本実施の形態の昇降式洗面台は、洗面ボール１５の下側は車椅子等が入れるように空間を開けた構造となっているので、昇降式洗面台を床に設置するとともに壁に固定する際に、前倒れするのを防止するために、起倒式の可動脚９，９を備えているので、設置の際は可動脚９，９を倒して床に当接することによって、前倒れを防止できるのはもとより、壁固定後は、可動脚９，９は起こして固定フレーム１側に収容することによって、可動脚９，９が邪魔になることがない。
【００３９】
なお、本実施の形態では、本発明に係る昇降式作業台を昇降式洗面台に適用した例について説明したが、本発明は昇降式流し台やその他の昇降式作業台にも適用できる。
【図面の簡単な説明】
【００４０】
【図１】本発明に係る昇降式洗面台の一例を示すもので、（ａ）は昇降式洗面台の正面図、（ｂ）は洗面台が上昇した場合の昇降式洗面台の正面図である。
【図２】同、図１におけるＡ矢視図である。
【図３】同、図１におけるＢ−Ｂ線断面図である。
【図４】同、図１におけるＣ−Ｃ線断面図である。
【図５】同、図１におけるＤ矢視図である。
【図６】同、図１におけるＥ−Ｅ線断面図である。
【図７】同、バランサを示すもので、（ａ）は正面図、（ｂ）は右側面図、（ｃ）は左側面図、（ｄ）は平面図、（ｅ）は平面分解図である。
【図８】同、バランサと動滑車を示す要部の正面図である。
【図９】同、固定装置の弾性部材を示し、（ａ）はロック解除時、（ｂ）はロック時を示す断面図である。
【図１０】同、固定装置の操作レバー部分を示し、（ａ）は側面図、（ｂ）は平面図、（ｃ）は正面図である。
【図１１】同、固定装置の操作レバーの変形例を示す側面図である。
【符号の説明】
【００４１】
１  固定フレーム
２  洗面台（作業台）
２４  バランサ
２６  吊ワイヤ（吊索材）
２７  ケーシング
２８  軸部
２９  回転ドラム
３０  巻取ドラム
３１ｃ  ゼンマイバネ
３２  ニードルベアリング（転がり軸受）
４０  動滑車
【図１】
2007117542.tif 000003
【図２】
2007117542.tif 000004
【図３】
2007117542.tif 000005
【図４】
2007117542.tif 000006
【図５】
2007117542.tif 000007
【図６】
2007117542.tif 000008
【図７】
2007117542.tif 000009
【図８】
2007117542.tif 000010
【図９】
2007117542.tif 000011
【図１０】
2007117542.tif 000012
【図１１】
2007117542.tif 000013